(57)【要約】【課題】  撮像面と交換レンズの距離が短いレンズにおいて、レンズ項面に付着したゴミによる撮影画像劣化を低減することを可能にした撮像レンズを提供する。【解決手段】  光学装置は、帯電防止膜を形成された光学面と、前記帯電防止膜を接地する接地部と、を有し、前記光学面は、前記光学面から像面までの光軸上の長さをＬ、イメージサイズをＨとして、      Ｌ／Ｈ＜０．８５なる条件式を満たすことを特徴とする。【選択図】  図１
2019008147.tif 000002
【特許請求の範囲】
【請求項１】
帯電防止膜を形成された光学面と、
前記帯電防止膜を接地する接地部と、を有し、
前記光学面は、前記光学面から像面までの光軸上の長さをＬ、イメージサイズをＨとして、
Ｌ／Ｈ＜０．８５
なる条件式を満たすことを特徴とする光学装置。
【請求項２】
前記光学装置は撮像レンズであり、前記イメージサイズは前記撮像レンズのイメージサークルの径であり、
該撮像レンズの最大ＦナンバーをＦｍａｘとし、かつ前記撮像レンズの絞りが閉じる場合にＦｍａｘ＝∞として、として
０≦Ｌ／Ｆｍａｘ＜２．５
なる条件式を満たすことを特徴とする請求項１に記載の光学装置。
【請求項３】
前記光学装置は、撮像レンズが着脱可能であって、撮像素子を有するカメラ装置であり、
前記イメージサイズは前記撮像素子の対角長であり、
前記光学面は、前記カメラ装置に備えられ、光路に挿抜可能に備えられた光学素子の光学面である、
ことを特徴とする請求項１に記載の光学装置。
【請求項４】
前記光学素子は、フィルタまたはエクステンダであることを特徴とする請求項３に記載の光学装置。
【請求項５】
前記光学面の替わりにゴミを捕獲する部材を有することを特徴とする請求項１乃至４のいずれか１項に記載の光学装置。
【請求項６】
前記ゴミを捕獲する部材は粘着性を有する部材であることを特徴とする請求項５に記載の光学装置。
【請求項７】
前記帯電防止膜は導電性の高い層を含む多層膜を含むことを特徴とする請求項１乃至６のいずれか１項に記載の光学装置。
【請求項８】
前記光学面は、最も像側に位置する光学面であることを特徴とする請求項１乃至７のいずれか１項に記載の光学装置。
【発明の詳細な説明】
【技術分野】
【０００１】
本発明は、光学装置に関する。例えば、フランジバックの短いカメラ装置に着脱可能に装着する撮像レンズや、光路に挿抜可能なフィルタやエクステンダを内蔵するカメラ装置に関する。
【背景技術】
【０００２】
特許文献１では、固体撮像素子の光束が入射する側の表面に親水基の層を配置することにより、帯電したゴミが表面に付着するのを防止した撮像装置が開示されている。
【先行技術文献】
【特許文献】
【０００３】
【特許文献１】特開２００６−２４３６７４号公報
【発明の概要】
【発明が解決しようとする課題】
【０００４】
例えば、交換レンズの場合、レンズにゴミが付着していても、撮像面からレンズまでの距離が比較的長いレンズであれば、撮影された画像の画質へのゴミの影響は軽微であるが、距離が短くなると、当該影響は軽微ではなくなりうる。例えば、ゴミが撮影画像に映り込み易くなる。
【０００５】
また、特許文献１に開示された撮像装置の場合も、撮像面からレンズまでの距離が短くなると、固体撮像素子表面に付着しなかったゴミがレンズに付着する可能性が高くなる。
【０００６】
本発明は、例えば、ゴミの影響を軽減するのに有利な光学装置を提供することを目的とする。
【課題を解決するための手段】
【０００７】
上記目的を達成するために、本発明の光学装置は、帯電防止膜を形成された光学面と、前記帯電防止膜を接地する接地部と、を有し、前記光学面は、前記光学面から像面までの光軸上の長さをＬ、イメージサイズをＨとして、
Ｌ／Ｈ＜０．８５
なる条件式を満たすことを特徴とする。
【発明の効果】
【０００８】
本発明によれば、例えば、ゴミの影響を軽減するのに有利な光学装置を提供することができる。
【図面の簡単な説明】
【０００９】
【図１】実施例１における撮像レンズの概略構成図
【図２】実施例１における多層膜の構成概略図
【図３】実施例１における多層膜の反射率特性
【図４】実施例２における撮像レンズの概略構成図
【発明を実施するための形態】
【００１０】
以下に、本発明の好ましい実施の形態を、添付の図面に基づいて詳細に説明する。
【実施例１】
【００１１】
以下、図１を参照して、本発明の第１の実施例による、撮像レンズ（光学装置）について説明する。
本実施例における撮像レンズはカメラ装置に着脱可能であるレンズ交換式であり、使用時にカメラ装置に着脱可能に装着されて使用される。
【００１２】
本発明の撮像レンズの最大ＦナンバーをＦｍａｘ、光学面から撮像面までの光軸上の長さをＬ、イメージサイズ（イメージサークルの径）をＨとするとき、
０≦Ｌ／Ｆｍａｘ＜２．５  （１）
Ｌ／Ｈ＜０．８５  （２）
の条件式を満たす前記光学面に帯電防止コート（帯電防止膜）が構成され、表面に発生した電荷を撮像レンズの筐体に流す手段を有する。ここで、絞りがクローズする場合、Ｆｍａｘ＝∞とする。
【００１３】
本実施例の撮像レンズにおいては、最も像側に配置されたレンズ（光学素子）の像側の光学面１０１に多層膜が形成され、該多層膜中に導電性を持つＩＴＯ膜が構成されている。本実施例における撮像レンズの最大ＦナンバーＦｍａｘは１６であり、導電性を持つＩＴＯ膜が含まれている多層膜が構成されている光学面１０１から撮像面１０２までの光路長Ｌは１６．４４ｍｍである。また、イメージサークルの径（イメージサイズ）Ｈは４３．２８ｍｍである。従ってＬ／Ｆｍａｘは１．０３であるので条件式（１）を満たす。光学面から撮像面までの光路長が遠くなるか最大Ｆナンバーが小さくなって、条件式（１）の上限を超えるようになると、いずれの場合もゴミが撮影画像に映り込みにくくなる。Ｌ／Ｈは０．３８であるので条件式（２）を満たす。光学面から撮像面までの光路長が遠くなり、条件式（２）の上限を超えるようになると、ゴミが撮影画像に映り込みにくくなる。従って、条件式（１）及び（２）が満足する範囲において、ゴミが撮影画像の画質の劣化を招き易く、本発明の効果が顕著に発現する条件となる。
【００１４】
条件式（１）、（２）それぞれは、次の条件式を満足する条件においてより効果が明確に表れるので好ましい。
０≦Ｌ／Ｆｍａｘ＜２．３  （１ａ）
Ｌ／Ｈ＜０．８２  （２ｂ）
【００１５】
本実施例において光学面１０１に構成する多層膜構成の概略図を図２、光学的膜厚や屈折率などの層構成を表２に示す。多層膜は、レンズ面側から順に、Ａｌ２Ｏ３、ＺｒＯ２、Ａｌ２Ｏ３、ＩＴＯ、Ａｌ２Ｏ３、ＺｒＯ２、ＭｇＦ２の膜が積層して形成されている。ここで設計主波長は５８０ｎｍである。上記膜構成における分光反射率を図３に示すように、図２の膜構成により、高屈折率のＩＴＯを使用しながら、可視光波長範囲をほぼカバーする４３０〜６７０ｎｍの波長領域における光学面の反射率を０．２％以下に抑制することができている。
【００１６】
また、光学面１０１を含む最終レンズは導電性を有するステンレス製の鏡筒にて撮像レンズに設置される。レンズ表面に導電性を持つ薄膜を蒸着し、さらにレンズを支える鏡筒を導電性材質とすることで、レンズ表面における帯電を防ぐ（軽減する）ことができる。それにより、レンズ表面に帯電したゴミが付着することを軽減することができる。なお、鏡筒を導電性材質にする（接地する）代わりに、電荷を逃がす（接地する）ような電極をレンズ面に構成した薄膜中の導電性膜ＩＴＯと接触するように設けても良い。
【００１７】
また、光学面１０１への成膜後に芯取り（レンズ外径を研削により成形する）を行うことで、ＩＴＯ層をコバ部表面に表し（露出させ）、導電性を持つ鏡筒に触れる（接地する）接地部を有するように構成する。これにより、さらに導電性を高め、レンズ表面における帯電を軽減することができる。
【００１８】
さらに、レンズ面に付着しなかったダスト等のゴミを捕獲する部材（例えば粘着性を有する部材など）を、該レンズを保持するレンズ鏡筒などのレンズ周辺部（鏡筒の内側）に備えることにより、より確実にレンズ面へのゴミの付着を低減させることができる。
【実施例２】
【００１９】
以下、図４を参照して、本発明の第２の実施例による、撮像レンズ（光学装置）について説明する。実施例１に対し、光学面４０１から撮像面４０２までの光路長Ｌが異なっているが、その他の構成については実施例１と同じである。本実施例における光路長Ｌは３４．２２ｍｍであり、最大Ｆナンバーは１６である。イメージサークルの径（イメージサイズの対角長）Ｈは実施例と同様に４３．２８ｍｍである。
【００２０】
従ってＬ／Ｆｍａｘは２．１４であるので条件式（１）を満たし、Ｌ／Ｈは０．７９であるので条件式（２）を満たしている。
【００２１】
以上、本発明の好ましい実施形態について説明したが、本発明はこれらの実施形態に限定されず、その要旨の範囲内で種々の変形及び変更が可能である。
【００２２】
例示した実施例においては、導電性を持つＩＴＯ膜が含まれている多層膜が構成されている光学面は、外気に接しゴミに触れる頻度が最も高い、最も像側の光学面である場合を例示したが本発明はこの構成に限定されることはない。条件式（２）を満たす位置にある光学面であれば、ゴミ等の該光学面への付着による撮影画像の画質の劣化を抑制する効果を有する。
【００２３】
例示した実施例においては、本発明の導電性を有する多層膜の形成はカメラ装置に着脱可能な撮像レンズに構成される場合を例示したが、本発明はこれに限定されるものではない。レンズ装置が着脱可能に装着して使用されるカメラ装置（光学装置）であって、エクステンダやフィルタのような光学系が光路に対して挿抜可能に構成されているカメラ装置に対しても同様に適用できる。エクステンダを構成するレンズやフィルタ等の光学素子の条件式を満足する光学面に上記の多層膜を構成することにより、同様の効果を享受することができる。その場合には、条件式（２）のイメージサイズＨは撮像素子の対角長となる。
【００２４】
次に、本発明の実施例１、２に各々対応する数値実施例１、２を示す。各数値実施例において、ｉは物体側からの面（光学面）の順序を示し、ｒｉは物体側より第ｉ番目の光学面の曲率半径である。ｄｉは物体側より第ｉ番目の光学面と第ｉ＋１番目の光学面との軸上間隔である。ｎｄｉ、νｄｉはそれぞれ第ｉ番目の光学面と第ｉ＋１番目の光学面との間の媒質（光学部材）のｄ線に対する屈折率、アッベ数である。また、非球面には面番号の横に＊の印を記す。近軸曲率半径をＲ、離心率をＫ、非球面係数をＡ４、Ａ６、Ａ８、Ａ１０、Ａ１２とする。光軸からの高さｈの位置での光軸方向の変位を面頂点を基準にしてｘとするとき、非球面形状は、
X＝(h2/R)/[1＋{1−(1＋K)(h/R)2}1/2]＋A4h4＋A6h6＋A8h8＋A10h10＋A12h12
で表わされる。なお、各非球面係数における「Ｅ±ＸＸ」は「×１０±ＸＸ」を意味している。また、各数値実施例における上述した条件式との対応を表１に示す。
【００２５】
（数値実施例１）
単位 mm
面データ
面番号i      ri       di     ndi        vdi
1          ∞       1.00                             
2*     -1131.690    2.70   1.59522    67.7           
3         31.420   20.29                             
4*      1551.909    2.00   1.76385    48.5           
5*        33.027   13.21                             
6        -78.000    1.50   1.43875    94.7           
7         92.253    0.25                             
8         83.942    8.99   1.72047    34.7           
9       -101.185    1.44                             
10       -277.435    4.82   1.49700    81.5           
11        -78.762   40.40                             
12         53.661    1.80   1.83481    42.7           
13         42.337    2.42                             
14         48.693   10.05   1.49700    81.5           
15       -184.474    1.44                             
16        130.661    1.00   2.00069    25.5           
17         49.810   12.72   1.59522    67.7           
18        -69.113    1.72                             
19(絞り)    ∞       7.29                             
20        -50.774    1.00   1.83481    42.7           
21        154.583    5.16   1.85478    24.8           
22       -144.528    0.20                             
23         40.497    3.50   1.72047    34.7           
24         53.317   17.20                             
25         37.240    5.58   1.69680    55.5           
26       7770.823    0.18                             
27         40.086    1.00   2.00100    29.1           
28         26.081    5.68   1.49700    81.5           
29         96.751    8.23                             
30        190.651    6.31   1.43875    94.7           
31        -30.564    1.00   2.00330    28.3           
32*      -106.779   16.44                             
像面        ∞   
非球面データ
第2面
K = 0.00000e+000  A 4= 5.68409e-006  A 6=-4.26817e-009  A 8= 2.69205e-012  A10=-9.63497e-016  A12= 1.60310e-019  
第4面
K = 0.00000e+000  A 4=-2.32989e-006  A 6=-1.65965e-009  A 8= 1.45223e-012  
第5面
K = 0.00000e+000  A 4= 2.23324e-007  A 6=-9.73277e-009  A 8= 4.16561e-012  
第32面
K = 0.00000e+000  A 4= 1.48109e-005  A 6= 1.39561e-008 
各種データ 
焦点距離      14.00  
Fナンバー      1.40  
画角          57.09  
像高          21.64  
レンズ全長   206.52  
BF            16.44  
【００２６】
（数値実施例２）
単位 mm
面データ
面番号i      ri       di     ndi        vdi
1          ∞       0.80                             
2*        88.644    2.50   1.59522    67.7           
3         26.014   16.83                             
4*       109.841    2.00   1.76385    48.5           
5         28.949   11.61                             
6        -71.253    1.20   1.59522    67.7           
7        112.140    1.19                             
8         59.819    5.60   1.65412    39.7           
9      -1297.881    3.34                             
10        -98.905    4.23   1.49700    81.5           
11        -47.790   33.85                             
12        126.050    1.44   1.80610    40.9           
13         31.072    6.36   1.49700    81.5           
14       -275.109    0.20                             
15         60.649    3.20   1.59522    67.7           
16       -264.023    2.66                             
17        -80.117    3.78   1.59522    67.7           
18        -40.686    1.77                             
19(絞り)    ∞       2.93                             
20        -43.442    0.80   1.83481    42.7           
21         53.876    3.98   1.85478    24.8           
22       -240.138   23.41                             
23         38.119    4.24   1.69680    55.5           
24         77.468    5.02                             
25         34.058    0.80   2.00100    29.1           
26         28.391    9.50   1.49700    81.5           
27        -83.375    5.48                             
28        206.314   10.47   1.43875    94.7           
29        -26.251    0.80   2.00330    28.3           
30*      -101.678   34.22                             
像面        ∞   
非球面データ
第2面
K = 0.00000e+000  A 4= 3.90487e-006  A 6=-1.13688e-009  A 8= 7.52886e-013  
第4面
K = 0.00000e+000  A 4=-1.91463e-006  A 6= 8.02932e-010  A 8= 5.86504e-013  
第30面
K = 0.00000e+000  A 4= 8.60947e-006  A 6= 6.05598e-009  
各種データ
焦点距離      16.00  
Fナンバー      2.80  
画角          53.52  
像高          21.64  
レンズ全長   204.22  
BF            34.22   
【００２７】
【表１】
2019008147.tif 000003
【００２８】
【表２】
2019008147.tif 000004
【符号の説明】
【００２９】
１０１、４０１  導電性のある膜を多層膜中に設ける光学面
１０２、４０２  撮像面
２０１〜２０７  多層膜を構成する各薄膜層
【図１】
2019008147.tif 000005
【図２】
2019008147.tif 000006
【図３】
2019008147.tif 000007
【図４】
2019008147.tif 000008